(57)【特許請求の範囲】
【請求項１】
複数本の行電極に走査パルスを印加し、前記行電極と直交する複数本の列電極に表示データに応じて書き込みパルスを印加して画素の点灯・消灯を選択する書き込み期間を有するプラズマディスプレイ装置であって、前記書き込み期間中に前記行電極に印加する電圧において、走査パルス印加時以外の部分の電圧をパネルの累積点灯時間に伴って変化させるように構成したプラズマディスプレイ装置。
【請求項２】
累積点灯時間が増大した際に行電極に印加する電圧を増加させるように構成した請求項１記載のプラズマディスプレイ装置。
【請求項３】
外部より入力される映像信号に基づいて累積点灯時間を算出し前記累積点灯時間に対応した信号を発生する累積点灯時間算出部と、この累積点灯時間算出部の出力信号に従って行電極に印加する電圧を変化させる電圧レベル制御部とを設けた請求項１記載のプラズマディスプレイ装置。
【発明の詳細な説明】
【０００１】
【発明の属する技術分野】
本発明は、プラズマディスプレイ装置に関するものである。
【０００２】
【従来の技術】
従来の交流放電型のプラズマディスプレイ装置では、放電によって発生する紫外線を可視光に変換することによって画素を構成するセルを点灯させて映像を表示する。
【０００３】
一般的な交流放電型プラズマディスプレイ装置について、図３〜図５の図面を用いて説明する。
【０００４】
図３は一般的な交流放電型プラズマディスプレイ装置のパネルの構造を示す図であり、図３のように、前面板１の表面にはスキャン側電極２、サステイン側電極３、誘電体４および保護膜５が配置され、背面板６の表面にはデータ側電極７、誘電体８、セル隔壁９および蛍光体１０が配置されている。この前面板１と背面板６とをスキャン側電極２およびサステイン側電極３とデータ側電極７とがほぼ直交するように対向配置して周辺部を封止し、パネル内の空間に放電ガス１１を封入することにより構成されている。
【０００５】
この交流放電型プラズマディスプレイ装置では、１フレームの映像を複数のサブフィールドに分割することによって階調表現を行うが、更にパネル中の放電を制御するために１サブフィールドを更に４つの期間に分割している。この４つの期間について図４を用いて説明する。
【０００６】
図４は一般的な従来の交流放電型プラズマディスプレイ装置の駆動電圧波形を示す図であり、セットアップ期間Ａでは放電が生じやすくするためにパルスＰｓｔを印加して放電を行い、全セルの電極付近に電荷を蓄積させる（壁電荷）。アドレス期間Ｂでは先ほど蓄積された壁電荷によって発生する電圧と順方向の電圧を各電極に印加して書き込み放電を行う。実際には書き込みを行うラインの行電極であるスキャン側電極２に走査パルスＰｓｃｎを印加すると同時に、セルのデータ側電極７に書き込みパルスＰｗを印加することにより書き込み放電を行う。
【０００７】
サステイン期間Ｃでは、サステインパルスＰｓｕｓを印加して、アドレス期間Ｂで書き込まれたセルを点灯させ、その点灯を維持させる。イレース期間ＤではイレースパルスＰｅを印加し、壁電荷を消去することによってセルの点灯を停止させる。
【０００８】
図５はこの交流放電型プラズマディスプレイ装置の全体構成を示す図であり、図５において入力信号は映像信号処理部２１に入にされ、プラズマディスプレイに適した映像信号に変換してデータ側駆動部２２へ出力される。また、入力信号は同期信号分離部２３にも入力され、そこで同期パルスが分離される。分離された同期パルスは、同期信号分離部２３の出力部に接続されたタイミングパルス発生部２４に送られる。タイミングパルス発生部２４の出力端は、映像信号処理部２１、データ側駆動部２２、スキャン側駆動部２５、サステイン側駆動部２６および走査パルス発生部２７のそれぞれ入力端に接続され、各駆動部の出力タイミングを制御する。また、スキャン側駆動部２５の出力は走査パルス発生部２７に入力され、スキャン側駆動部２５から出力された波形に走査パルスを重畳する。
【０００９】
また、データ側駆動部２２の出力は、プラズマディスプレイパネル２８に列方向に配置されたｍ本のデータ側電極２９に接続され、走査パルス発生部２７の出力はデータ側電極２９と直交する行方向に配置されたｎ本のスキャン側電極３０に接続され、サステイン側駆動部２６の出力はスキャン側電極３０に平行に配置されたｎ本のサステイン側電極３１に接続されており、各駆動部および走査パルス発生部２７によって各電極の印加電圧を制御し、プラズマディスプレイパネル２８の各セルの点灯表示を行う。
【００１０】
【発明が解決しようとする課題】
このようなプラズマディスプレイ装置においては、パネル温度が上昇した場合や長時間パネルを点灯した場合、放電が安定して行われず著しく表示点灯状態が劣化するという課題がある。
【００１１】
パネル温度が上昇すると蛍光体中の不純物が温度上昇によって気化し、放電ガス中に混入する。このとき放電ガス中の分子数が増加するため、放電ガス中の電子との衝突確率が増大する。分子と電子が衝突して分子が励起し、その際に発生した電子が他の分子に衝突して励起する過程を連鎖反応的に繰り返して放電が発生するので、分子と電子の衝突確率が増加すると、放電が促進されることになる。
【００１２】
アドレス期間Ｂ中においてスキャン側電極３０に順次走査パルスＰｓｃｎを印加させて書き込みを行うが、書き込みを行わないスキャン側電極３０には電圧Ｖｓｃｎを印加させて放電発生に起因する電子をスキャン側電極３０付近に蓄積しておく。しかし、全ての電子を蓄積させたままの状態を維持するのは不可能で、僅かな電子が放電ガス中に放出される。パネル温度の上昇に伴い放電ガス中の分子の数が増加して放電が発生しやすい状態となると、僅かに放出された電子によって分子が励起され、不要な放電が生じ表示点灯状態を劣化させる。
【００１３】
また、長時間パネルを点灯した場合では、点灯時の放電によって保護膜がスパッタされる。このとき、保護膜中の不純物が放電ガス中に放出される。これは前述のパネル温度の上昇時と同様に、放電ガス中の分子数の増加につながるので放電が発生しやすい状態となり、僅かに放出された電子によって不要な放電が生じ表示点灯状態を劣化させる。
【００１４】
本発明はこのような課題に鑑みなされたもので、パネル温度が上昇した場合や長時間パネルを点灯した場合でも表示点灯状態の劣化を抑えることを目的とする。
【００１５】
【課題を解決するための手段】
このような課題を解決するために本発明は、複数本の行電極に走査パルスを印加し、前記行電極と直交する複数本の列電極に表示データに応じて書き込みパルスを印加して画素の点灯・消灯を選択する書き込み期間を有するプラズマディスプレイ装置であって、前記書き込み期間中に前記行電極に印加する電圧において、走査パルス印加時以外の部分の電圧をパネルの累積点灯時間に伴って変化させるように構成したものである。
【００１６】
さらに、本発明のプラズマディスプレイ装置は、外部より入力される映像信号に基づいて累積点灯時間を算出し前記累積点灯時間に対応した信号を発生する累積点灯時間算出部と、この累積点灯時間算出部の出力信号に従って行電極に印加する電圧を変化させる電圧レベル制御部とを設けた構成としている。
【００１７】
【発明の実施の形態】
すなわち、本発明のプラズマディスプレイ装置においては、走査パルス印加時を除いた書き込み期間中に行電極に印加する電圧Ｖｓｃｎを累積点灯時間に伴って変化させるように構成したものであり、長時間、パネルを点灯した場合、電圧Ｖｓｃｎを増加させることによって表示点灯状態の劣化を防ぐことができる。
【００１８】
以下、本発明の一実施の形態によるプラズマディスプレイ装置について図１、図２を用いて説明する。なお、図３〜図５に示す部分と同一部分については同一番号を付している。
【００１９】
図１は本発明における各電極に印加される電圧波形を示すものであり、セットアップ期間Ａ、サステイン期間Ｃおよびイレース期間Ｄにおいては従来の駆動方法と同様である。アドレス期間Ｂでは、書き込みを行うラインの行電極であるスキャン側電極３０に順次走査パルスＰｓｃｎを印加させると同時に、セルのデータ側電極２９に書き込みパルスＰｗを印加して書き込み放電を行う。書き込みを行わないスキャン側電極３０には電圧Ｖｓｃｎを印加して放電発生に起因する電子をスキャン側電極３０付近に蓄積しておく。
【００２０】
ここで、パネル温度が上昇した場合や長時間パネルを点灯した場合、放電ガス中に混入する不純物によって僅かな電子が放電ガス中に放出されるだけで放電が発生してしまう。そこで、走査パルス印加時を除く書き込み期間中にスキャン側電極３０に印加する電圧Ｖｓｃｎを増加させることによって、電子をスキャン側電極３０付近に蓄積させ、放電ガスに放出される電子数を抑えることができる。
【００２１】
従って、長時間、パネルを点灯した場合、電圧Ｖｓｃｎを増加させることによって表示点灯状態の劣化を防ぐことができる。
【００２２】
なお、常時電圧Ｖｓｃｎを高電圧に維持すると、スキャン側電極３０に走査パルスＰｓｃｎを印加する際に消費する電力が増える。この消費電力を低減するためにパネルを点灯させた累積時間（累積点灯時間）に伴って電圧Ｖｓｃｎを変化させる。つまり、長時間、パネルを点灯した場合のみに電圧Ｖｓｃｎを増加させることによって、不要な消費電力の増加を抑制できる。
【００２３】
図２は本発明のプラズマディスプレイ装置における全体構成の一例を示す図である。
【００２４】
この図２において、従来のプラズマディスプレイ装置の構成と異なるのは、入力映像信号より累積点灯時間を算出して、それに応じた信号を発生する累積点灯時間算出部４３を設け、その出力信号に従って、変化させた電圧Ｖｓｃｎを走査パルス発生部２７から出力させるように構成したことである。
【００２５】
図２において、入力信号は映像信号処理部２１に入力され、プラズマディスプレイに適した映像信号に変換し、データ側駆動部２２および累積点灯時間算出部４３に出力される。累積点灯時間算出部４３では映像信号処理部２１からの信号を積分することによって累積点灯時間を算出する。この算出結果に対応した信号を電圧レベル制御部４２に入力し、その信号に従って電圧レベル制御部４２の出力電圧を変化させる。その出力電圧を走査パルス発生部２７に入力することによりスキャン側電極３０に印加する電圧Ｖｓｃｎを変化させるものである。
【００２６】
この回路構成によって長時間パネルを点灯したときに電圧Ｖｓｃｎを増加させることにより表示点灯状態の劣化を防ぐことができる。
【００２７】
【発明の効果】
以上のように本発明によれば、走査パルス印加時を除いた書き込み期間中に行電極に印加する電圧を累積点灯時間に伴って変化させるように構成したものであり、累積点灯時間に応じて、電圧を増加させることによって表示点灯状態の劣化を防ぐことができる。
【図面の簡単な説明】
【図１】  本発明の一実施の形態によるプラズマディスプレイ装置の各電極に印加される電圧波形を示す信号波形図
【図２】  本発明によるプラズマディスプレイ装置の全体構成を示すブロック図
【図３】  一般的な交流放電型プラズマディスプレイ装置のパネル構造を示す概略斜視図
【図４】  同プラズマディスプレイ装置の各電極に印加される電圧波形を示す信号波形図
【図５】  同プラズマディスプレイ装置の全体構成を示すブロック図
【符号の説明】
２２  データ側駆動部
２５  スキャン側駆動部
２７  走査パルス発生部
２８  プラズマディスプレイパネル
２９  データ側電極
３０  スキャン側電極
４２  電圧レベル制御部
４３  累積点灯時間算出部
【図１】
0004165051.tif 000002
【図２】
0004165051.tif 000003
【図３】
0004165051.tif 000004
【図４】
0004165051.tif 000005
【図５】
0004165051.tif 000006